Podtech/llm-jp-corpus-v4-ja_patent huggingface dataset:
【手続補正書】
【提出日】平成20年1月8日(2008.1.8)
【手続補正１】
【補正対象書類名】明細書
【補正対象項目名】０００４
【補正方法】変更
【補正の内容】
【０００４】
ラミネートフィルムは，ラミネートフィルム先頭端検出センサ１１でフィルムの先頭端が検出されると，一旦搬送が停止され，カッタ７で裁断される。裁断されるラミネートフィルムの長さは，ラミネートフィルム先頭端検出センサ１１とカッタ７の相対距離を物理的に微調整して決定する方式，またはラミネートフィルム先頭端検出センサ１１によるフィルム先頭端検出後にフィルムを微少搬送して決定する方式が採用される。このように裁断されたラミネートフィルムは，前記合流点で印刷済みＩＤカードと重ね合わせられ，下流に設けられたヒートローラ２０とプラテンローラ２１間に送り込まれて熱圧着される。その後，ローラ２２およびローラ２３で排出操作が行われ，ラミネータの出口２５２からラミネーションを完了したＩＤカードは排出される。この結果，ラミネートフィルムは，常に必要分のみ裁断後に使用されるため，米国特許５，８０７，４６１号に開示されたラミネータのような無駄なキャリアが残らない良さがあり，ウエイストレス型ラミネータとも称されている。
【手続補正２】
【補正対象書類名】明細書
【補正対象項目名】０００５
【補正方法】変更
【補正の内容】
【０００５】
【発明が解決しようとする課題】
しかし，米国特許５，７８３，０２４号に代表されるウエイストレス型ラミネータでは，カッタ７によるラミネートフィルムの裁断工程で，カッタの寿命や他の原因で裁断に失敗したとき，裁断の失敗を検出する手段を持っていないため，裁断が不完全な場合には，ＩＤカードに連続したラミネートフィルムがそのまま熱圧着されてしまい，印刷済みＩＤカードが台無しになる不都合があった。このような欠点は，ＩＤカード発行コストの上昇を招き，耐改竄性を有し且つ長寿命なＩＤカードの普及を妨げるものである。本発明は，従来例にみられる欠点を排除し，運用コストの低減にも寄与するラミネータ装置を安価に提供することを課題としている。
【手続補正３】
【補正対象書類名】明細書
【補正対象項目名】０００９
【補正方法】変更
【補正の内容】
【０００９】
ラミネートロール２は，図２に示すように，先頭端２９から繰り出され，連続ラミネートフィルム２４は，裁断位置２８，裁断位置２７で順次カッタ７で裁断されることになる。このラミネートフィルム２４は，透明フィルムの場合や，偽造防止を目的にホログラム処理を施したフィルムを使用する場合もある。実際の工程では，ラミネートフィルム先頭端検出センサ１１で連続ラミネートフィルムの先頭端２９が検出されると，一旦搬送が停止され，カッタ７で裁断される。図３は，裁断された状態のラミネートロール２を示しており，先頭側の連続ラミネートフィルム２４は長さＬに相当する裁断位置２８で裁断されてラミネートフィルム３０となり，裁断面２６が次に裁断されるラミネートフィルムの先頭端となる。長さＬの調整は，従来例と同様にラミネートフィルム先頭端検出センサ１１とカッタ７の相対距離を物理的に微調整して決定する方式，またはラミネートフィルム先頭端検出センサ１１によるフィルム先端検出後にフィルムを微少搬送して決定する方式が採用される。
【手続補正４】
【補正対象書類名】明細書
【補正対象項目名】００１１
【補正方法】変更
【補正の内容】
【００１１】
次に，ラミネートフィルムの裁断結果を確認する方法を説明する。図５はラミネートフィルムの裁断に成功した図で，図６は裁断に失敗した例を示す図である。先に説明のように，ラミネートロール２から繰り出された連続ラミネートフィルム２４の先頭端２９が，ラミネートフィルム先頭端検出センサ１１で検出されてセンサ出力が能動となると，ラミネートフィルム２４の搬送が停止され，カッタ７で裁断動作が行われる。この裁断動作が終了したら，ラミネートフィルム２４を数ｍｍ程度巻き戻すように，第１搬送手段のローラ４を図のＣＣＷ方向へ回転させる。この時，第２搬送手段として機能しているローラ８およびローラ９は停止させておく。もしラミネートフィルムの裁断が成功していれば，連続ラミネートフィルム２４のみが矢印Ｒ１方向へ搬送され，裁断後のラミネートフィルム３０は，その位置を保持したままとなる。この結果，ラミネートフィルム先頭端検出センサ１１の出力も能動のままとなっている。これらの操作で，ラミネートフィルムの裁断が正常に行われたと判断され，裁断されたラミネートフィルム３０は矢印Ａ１方向へ搬送され，印刷済みＩＤカード３１も同時に矢印Ｃ１方向へ搬送されて下流でラミネーションが行われる。
【手続補正５】
【補正対象書類名】明細書
【補正対象項目名】００１２
【補正方法】変更
【補正の内容】
【００１２】
また裁断に失敗した時は，裁断動作後にラミネートフィルム２４を矢印Ｒ１方向へ巻き戻すと，カッタ７と第２搬送手段のローラ８およびローラ９間にあるラミネートフィルムも同時に矢印Ｒ１方向へ引き戻されることになるので，ラミネートフィルム２４の先頭端２９がラミネートフィルム先頭端検出センサ１１から遠ざかり，その出力は能動から非能動へ変化する。従って，ラミネートフィルム２４への裁断動作を完了後，ラミネートフィルムを第１搬送手段で所定量だけ巻き戻し，ラミネートフィルム先頭端検出センサ１１の出力信号を検査すれば，裁断が正常に行われたかどうかを判断できる。
【手続補正６】
【補正対象書類名】明細書
【補正対象項目名】００１４
【補正方法】変更
【補正の内容】
【００１４】
図７はラミネータ１の内部に搭載された制御部の概略ブロック図を示している。ラミネータ１の制御部全体は，マイクロプロセッサ等で構成された演算処理回路４０１を中心に，カード搬送制御回路４０２，カード搬送モータ４０３，ラミネートフィルム搬送制御回路４０４，ラミネートフィルム搬送モータ４０５，カッタ駆動回路４０６，クラッチ駆動回路４０７，ラミネートロード電動クラッチ４０８ラミネートフィード電動クラッチ４１８，センサ信号処理回路４０９，ヒータ温度制御回路４１０，ヒータ４１１，操作パネル信号処理回路４１２，操作パネル４１３等で構成されている。ラミネートロード電動クラッチ４０８は，ラミネートフィルム搬送モータ４０５の駆動力をローラ４に伝達したり遮断するために使用され，ラミネートフィード電動クラッチ４１８は，ラミネートフィルム搬送モータ４０５の駆動力をローラ８に伝達したり遮断するために使用されている。尚，ローラ５とローラ６はローラ４と歯車で連結され，ローラ８とローラ９も互いに歯車で連結されている。また，搬送路２５に沿った各ローラは，カード搬送モータ４０３の駆動力を伝達して駆動している。
【手続補正書】
【提出日】平成20年7月7日(2008.7.7)
【手続補正１】
【補正対象書類名】明細書
【補正対象項目名】特許請求の範囲
【補正方法】変更
【補正の内容】
【特許請求の範囲】
【請求項１】  遊技媒体情報が記録された遊技媒体記録手段を投入することにより、対応する遊技機から遊技媒体の払い出しを実行させる遊技媒体記録読取手段を備えた遊技媒体記録読取装置において、
前記遊技媒体記録読取手段は、前記遊技機から払い出させる遊技媒体の１単位の払出個数を２種以上の個数に設定可能な貸出個数設定手段を備えていることを特徴とする遊技媒体記録読取装置。
【請求項２】  前記貸出個数設定手段は、スイッチ手段を有しており、そのスイッチ手段の設定に基づいて前記遊技機から払い出させる遊技媒体の１単位の払出個数を設定するものであることを特徴とする請求項１記載の遊技媒体記録読取装置。
【請求項３】  前記遊技媒体記録読取手段は、前記遊技機へ前記貸出個数設定手段により設定された遊技媒体の払出個数を示す第１信号を出力するものであることを特徴とする請求項１又は２記載の遊技媒体記録読取装置。
【請求項４】  前記第１信号は、前記貸出個数設定手段により設定された遊技媒体の払出個数を示す信号であると共に、前記遊技機から遊技媒体の払い出しを実行させる信号を兼ねていることを特徴とする請求項３記載の遊技媒体記録読取装置。
【手続補正２】
【補正対象書類名】明細書
【補正対象項目名】０００５
【補正方法】変更
【補正の内容】
【０００５】
【課題を解決するための手段】  この目的を達成するために請求項１記載の遊技媒体記録読取装置は、遊技媒体情報が記録された遊技媒体記録手段を投入することにより、対応する遊技機から遊技媒体の払い出しを実行させる遊技媒体記録読取手段を備えており、その遊技媒体記録読取手段は、前記遊技機から払い出させる遊技媒体の１単位の払出個数を２種以上の個数に設定可能な貸出個数設定手段を備えている。
【手続補正３】
【補正対象書類名】明細書
【補正対象項目名】０００６
【補正方法】変更
【補正の内容】
【０００６】
この請求項１記載の遊技媒体記録読取装置によれば、遊技媒体記録読取手段に設けられ、遊技媒体の１単位の払出個数を２種以上の個数に設定可能な貸出個数設定手段により、遊技機から払い出される遊技媒体の１単位の払出個数が設定される。
請求項２記載の遊技媒体記録読取装置は、請求項１記載の遊技媒体記録読取装置において、前記貸出個数設定手段は、スイッチ手段を有しており、そのスイッチ手段の設定に基づいて前記遊技機から払い出させる遊技媒体の１単位の払出個数を設定するものである。
請求項３記載の遊技媒体記録読取装置は、請求項１又は２記載の遊技媒体記録読取装置において、前記遊技媒体記録読取手段は、前記遊技機へ前記貸出個数設定手段により設定された遊技媒体の払出個数を示す第１信号を出力するものである。
請求項４記載の遊技媒体記録読取装置は、請求項３記載の遊技媒体記録読取装置において、前記第１信号は、前記貸出個数設定手段により設定された遊技媒体の払出個数を示す信号であると共に、前記遊技機から遊技媒体の払い出しを実行させる信号を兼ねている。
【手続補正４】
【補正対象書類名】明細書
【補正対象項目名】００７９
【補正方法】変更
【補正の内容】
【００７９】
請求項１記載の遊技媒体記録読取装置または遊技媒体記録読取装置１から８のいずれかにおいて、前記貸球信号は対応することができる遊技機と、その貸球信号には対応することができない遊技機とを判別することができることを特徴とする遊技媒体記録読取装置９。貸球信号に対応することができる遊技機と対応することができない遊技機とを判別することができるので、貸球信号を遊技機に出力することにより遊技機の新旧（対応型か非対応型か）を判断することができる。
尚、本実施形態において、請求項３記載の遊技媒体記憶読取装置の第１信号としては、図９の貸出要求信号が該当する。
【手続補正５】
【補正対象書類名】明細書
【補正対象項目名】００８０
【補正方法】変更
【補正の内容】
【００８０】
【発明の効果】  請求項１記載の遊技媒体記録読取装置によれば、遊技媒体記録読取手段に備えられた貸出個数設定手段により、遊技機から払い出される遊技媒体の１単位の払出個数を２種以上の個数に設定できるので、遊技場（ホール）の方針に応じて、遊技媒体の払出個数を調整することができるという効果がある。
請求項２記載の遊技媒体記録読取装置によれば、請求項１記載の遊技媒体記録読取装置の奏する効果に加え、スイッチ手段の設定値に基づいて遊技機から払い出させる遊技媒体の１単位の払出個数が貸出個数設定手段により設定されるので、スイッチ手段によって遊技媒体の１単位の払出個数を任意に設定することができるという効果がある。
請求項３記載の遊技媒体記録読取装置によれば、請求項１又は２記載の遊技媒体記録読取装置の奏する効果に加え、遊技媒体記録読取手段により出力された第１信号によって、貸出個数設定手段により設定された遊技媒体の払出個数が遊技機に示されるので、遊技機は、貸出個数設定手段により設定された払出個数に基づいて、遊技媒体を払い出すことができるという効果がある。
請求項４記載の遊技媒体記録読取装置によれば、請求項３記載の遊技媒体記録読取装置の奏する効果に加え、遊技媒体記録読取手段から遊技機へ出力される第１信号が、貸出個数設定手段により設定された遊技媒体の払出個数を示す信号であると共に、前記遊技機から遊技媒体の払い出しを実行させる信号を兼ねているので、その１つの第１信号によって、遊技媒体の払出個数および遊技媒体の払い出し動作の２つの指示を遊技機に対して行うことができるという効果がある。
【手続補正６】
【補正対象書類名】明細書
【補正対象項目名】符号の説明
【補正方法】変更
【補正の内容】
【符号の説明】
１          パチンコ機（遊技機）
２３        カード読取ユニット（遊技媒体記録読取装置）
２４ａ      カード読取部（遊技媒体記録読取手段の一部）
５６        貸球数設定スイッチ（貸出個数設定手段の一部、スイッチ手段）
【手続補正書】
【提出日】平成20年7月7日(2008.7.7)
【手続補正１】
【補正対象書類名】明細書
【補正対象項目名】特許請求の範囲
【補正方法】変更
【補正の内容】
【特許請求の範囲】
【請求項１】  遊技の制御を行う主制御手段と、その主制御手段から送信される払出指示に基づいて所定の有価価値を有する有価物体を払い出す払出制御手段とを備えた遊技機において、
前記主制御手段は、前記払出制御手段による有価物体の１単位の払出個数を２種以上の個数に設定可能な貸出個数設定手段を備えていることを特徴とする遊技機。
【請求項２】  前記貸球個数設定手段は、スイッチ手段を有しており、そのスイッチ手段の設定に基づいて前記払出制御手段による有価物体の１単位の払出個数を設定するものであることを特徴とする請求項１記載の遊技機。
【請求項３】  前記主制御手段は、前記貸出個数設定手段により設定された有価物体の１単位の払出個数を報知する貸出個数報知手段と接続されていることを特徴とする請求項１又は２記載の遊技機。
【請求項４】  前記貸出個数報知手段は、効果音を報知する効果音報知手段と、その効果音報知手段を制御する効果音制御手段とを備え、
前記効果音制御手段は、前記主制御手段から送信された有価物体の１単位の払出個数に基づいて、前記効果音報知手段により有価物体の払出個数を音で報知するように、前記効果音報知手段を制御するものであることを特徴とする請求項３記載の遊技機。
【手続補正２】
【補正対象書類名】明細書
【補正対象項目名】０００６
【補正方法】変更
【補正の内容】
【０００６】
この請求項１記載の遊技機によれば、主制御手段に設けられ、有価物体の１単位の払出個数が２種以上の個数に設定可能な貸出個数設定手段により、払出制御手段から払い出される有価物体の１単位の払出個数が設定される。その設定された個数に応じて払出制御手段から有価物体が払い出される。
請求項２記載の遊技機は、請求項１記載の遊技機において、前記貸球個数設定手段は、スイッチ手段を有しており、そのスイッチ手段の設定に基づいて前記払出制御手段による有価物体の１単位の払出個数を設定するものである。
請求項３記載の遊技機は、請求項１又は２記載の遊技機において、前記主制御手段は、前記貸出個数設定手段により設定された有価物体の１単位の払出個数を報知する貸出個数報知手段と接続されている。
請求項４記載の遊技機は、請求項３記載の遊技機において、前記貸出個数報知手段は、効果音を報知する効果音報知手段と、その効果音報知手段を制御する効果音制御手段とを備え、前記効果音制御手段は、前記主制御手段から送信された有価物体の１単位の払出個数に基づいて、前記効果音報知手段により有価物体の払出個数を音で報知するように、前記効果音報知手段を制御するものである。
【手続補正３】
【補正対象書類名】明細書
【補正対象項目名】００９３
【補正方法】変更
【補正の内容】
【００９３】
【発明の効果】  請求項１記載の遊技機によれば、主制御手段に備えられた貸出個数設定手段により、払出制御手段による有価物体の１単位の払出個数を２種以上の個数に設定できるので、遊技場（ホール）の方針に応じて、有価物体の払出個数を調整することができるという効果がある。
請求項２記載の遊技機によれば、請求項１記載の遊技機の奏する効果に加え、スイッチ
手段の設定値に基づいて払出制御手段による有価物体の１単位の払出個数が貸出個数設定手段により設定されるので、スイッチ手段によって有価物体の１単位の払出個数を任意に設定することができるという効果がある。
請求項３記載の遊技機によれば、請求項１又は２記載の遊技機の奏する効果に加え、貸出個数報知手段が主制御手段に接続されているので、貸出個数設定手段により設定された有価物体の払出個数を主制御手段から貸出個数報知手段に送信すれば、貸出個数報知手段により遊技者へ有価物体の払出個数を報知することができるという効果がある。
請求項４記載の遊技機によれば、請求項３記載の遊技機の奏する効果に加え、効果音制御手段による制御によって、主制御手段から送信された有価物体の１単位の払出個数に基づいて、有価物体の払出個数が効果音報知手段により音で報知されるので、遊技者の聴覚により有価物体の払出個数を認識させることができるという効果がある。
【手続補正４】
【補正対象書類名】明細書
【補正対象項目名】符号の説明
【補正方法】変更
【補正の内容】
【符号の説明】
１          パチンコ機（遊技機）
４０        貸球数設定スイッチ（貸出個数設定手段の一部、スイッチ手段）
６７        スピーカ（効果音報知手段、貸出個数報知手段の一部）
Ｃ          主制御基板（主制御手段）
Ｈ          払出制御基板（払出制御手段）
Ｓ          効果音制御基板（効果音制御手段、貸出個数報知手段の一部）
【手続補正書】
【提出日】平成20年8月4日(2008.8.4)
【手続補正１】
【補正対象書類名】明細書
【補正対象項目名】特許請求の範囲
【補正方法】変更
【補正の内容】
【特許請求の範囲】
【請求項１】  貸出要求に応じて所定の有価価値を有する遊技媒体を貸し出す貸出制御手段と、前記遊技媒体の貸出個数に関する情報が記憶された記憶媒体と、その記憶媒体に記憶された情報を読み込み可能に構成された記憶媒体読取装置とを備えた遊技機において、
前記貸出制御手段は、前記貸出要求に応じて、前記記憶媒体読取装置によって読み込まれた前記記憶媒体に記憶される遊技媒体の貸出個数に関する情報に基づき前記遊技媒体の貸し出しを行うものであることを特徴とする遊技機。
【請求項２】  遊技の制御を行う主制御手段を備えており、前記主制御手段は、前記記憶媒体読取装置を搭載すると共に、その記憶媒体読取装置により読み込まれた前記記憶媒体に記憶される遊技媒体の貸出個数に関する情報を前記貸出制御手段へ送信するものであり、前記貸出制御手段は、前記主制御手段から受信した遊技媒体の貸出個数に関する情報を記憶すると共に、その遊技媒体の貸出個数に関する情報に基づく遊技媒体の貸し出しを前記貸出要求に応じて行うものであることを特徴とする請求項１記載の遊技機。
【請求項３】  前記主制御手段を被包する主制御ボックスを備えており、前記記憶媒体は、その主制御ボックスの表面に着脱自在に取着されるものであることを特徴とする請求項２記載の遊技機。
【請求項４】  前記記憶媒体の表面には、その記憶媒体に記憶される遊技媒体の貸出個数が表示されており、前記記憶媒体は、遊技者と対向する遊技面側に取着されると共に、貸出個数が表示された表示面を遊技者側へ向けて取着されることを特徴とする請求項１から３のいずれか記載の遊技機。
【手続補正２】
【補正対象書類名】明細書
【補正対象項目名】０００５
【補正方法】変更
【補正の内容】
【０００５】
【課題を解決するための手段】  この目的を達成するために請求項１記載の遊技機は、貸出要求に応じて所定の有価価値を有する遊技媒体を貸し出す貸出制御手段と、前記遊技媒体の貸出個数に関する情報が記憶された記憶媒体と、その記憶媒体に記憶された情報を読み込み可能に構成された記憶媒体読取装置とを備えており、前記貸出制御手段は、前記貸出要求に応じて、前記記憶媒体読取装置によって読み込まれた前記記憶媒体に記憶される遊技媒体の貸出個数に関する情報に基づき前記遊技媒体の貸し出しを行うものである。
請求項２記載の遊技機は、請求項１記載の遊技機において、遊技の制御を行う主制御手段を備えており、前記主制御手段は、前記記憶媒体読取装置を搭載すると共に、その記憶媒体読取装置により読み込まれた前記記憶媒体に記憶される遊技媒体の貸出個数に関する情報を前記貸出制御手段へ送信するものであり、前記貸出制御手段は、前記主制御手段から受信した遊技媒体の貸出個数に関する情報を記憶すると共に、その遊技媒体の貸出個数に関する情報に基づく遊技媒体の貸し出しを前記貸出要求に応じて行うものである。
請求項３記載の遊技機は、請求項２記載の遊技機において、前記主制御手段を被包する主制御ボックスを備えており、前記記憶媒体は、その主制御ボックスの表面に着脱自在に取着されるものである。
請求項４記載の遊技機は、請求項１から３のいずれか記載の遊技機において、前記記憶媒体の表面には、その記憶媒体に記憶される遊技媒体の貸出個数が表示されており、前記記憶媒体は、遊技者と対向する遊技面側に取着されると共に、貸出個数が表示された表示面を遊技者側へ向けて取着される。
【手続補正３】
【補正対象書類名】明細書
【補正対象項目名】００７３
【補正方法】変更
【補正の内容】
【００７３】
【発明の効果】  請求項１記載の遊技機によれば、記憶媒体読取装置により記憶媒体に記憶される遊技媒体の貸出個数に関する情報を読み込むと共に、貸出要求に応じて、貸出制御手段により、記憶媒体読取装置で読み込んだ情報に基づき遊技媒体の貸し出しを行うので、記憶媒体に記憶される遊技媒体の貸出個数を変更することにより、貸出制御手段による遊技媒体の貸出個数を調整することができるという効果がある。
請求項２記載の遊技機によれば、請求項１記載の遊技機の奏する効果に加え、記憶媒体読取装置を主制御手段に搭載することにより、遊技媒体の貸出個数に関する情報を主制御手段で管理することができる。
請求項３記載の遊技機によれば、請求項２記載の遊技機の奏する効果に加え、記憶媒体を取り替えるだけで、遊技媒体の貸出個数を変更することができる。
請求項４記載の遊技機によれば、請求項１から３のいずれか記載の遊技機の奏する効果に加え、記憶媒体の表面に、その記憶媒体に記憶される遊技媒体の貸出個数を表示し、その表示面を遊技者側へ向けて記憶媒体を取着することにより、遊技媒体の貸出個数を遊技者に対して視覚的に且つ正確に認識させることができる。
【手続補正４】
【補正対象書類名】明細書
【補正対象項目名】符号の説明
【補正方法】変更
【補正の内容】
【符号の説明】
１            パチンコ機（遊技機）
３０          基板ボックス（主制御ボックス）
５０          無線タグリーダ（記憶媒体読取装置）
５１          無線タグシール（記憶媒体）
Ｃ            主制御基板（主制御手段）
Ｈ            払出制御基板（貸出制御手段）
【手続補正書】
【提出日】平成20年1月18日(2008.1.18)
【手続補正１】
【補正対象書類名】明細書
【補正対象項目名】特許請求の範囲
【補正方法】変更
【補正の内容】
【特許請求の範囲】    【請求項１】 富山湾の水深３００ｍ以深の日本海固有水を、逆浸透膜（１１）を用いた逆浸透膜装置（１）に通水分離して得られた濃縮深層水（Ｃ１）を、更に一価イオン選択性イオン交換膜（１３）を用いた第二電気透析装置（３）に通水分離し、一価の陽イオンと一価の陰イオンの濃度を減じて得られたことを特徴とするミネラル濃縮液。    【請求項２】 富山湾の水深３００ｍ以深の日本海固有水を、イオン交換膜（１２）を用いた第一電気透析装置（２）に通水して得られた濃縮深層水（Ｃ２）を、更に一価イオン選択性イオン交換膜（１３）を用いた第二電気透析装置（３）に通水分離し、一価の陽イオンと一価の陰イオンの濃度を減じて得られたことを特徴とするミネラル濃縮液。    【請求項３】 富山湾の水深３００ｍ以深の日本海固有水を、逆浸透膜（１１）を用いた逆浸透膜装置（１）に通水分離して得られた濃縮深層水（Ｃ１）を、更に一価イオン選択性イオン交換膜（１３）を用いた第二電気透析装置（３）に通水分離し、一価の陽イオンと一価の陰イオンの濃度を高めて得られたことを特徴とする濃縮塩水。    【請求項４】 富山湾の水深３００ｍ以深の日本海固有水を、イオン交換膜（１２）を用いた第一電気透析装置（２）に通水して得られた濃縮深層水（Ｃ２）を、更に一価イオン選択性イオン交換膜（１３）を用いた第二電気透析装置（３）に通水分離し、一価の陽イオンと一価の陰イオンの濃度を高めて得られたことを特徴とする濃縮塩水。    【請求項５】 請求項３又は４により得られた濃縮塩水を加熱分離してナトリウム成分に対するマグネシウムの成分割合を高めたことを特徴とする苦汁。    【請求項６】 請求項３又は４により得られた濃縮塩水を加熱分離してナトリウム成分に対するマグネシウムの成分割合を減じたことを特徴とする特殊塩。【手続補正２】
【補正対象書類名】明細書
【補正対象項目名】００１３
【補正方法】変更
【補正の内容】
【００１３】  また、本発明は、逆浸透膜を用いた逆浸透膜装置と、イオン交換膜を用いた第一電気透析装置との少なくとも一方にて日本海固有水から分離した濃縮深層水を、更に一価イオン選択性に優れているイオン交換膜を用いた第二電気透析装置により分離し、濃縮深層水から主に一価イオンを取り除いて得た多価イオンのミネラルを主とするミネラル濃縮液と、主に多価イオンのミネラルを取り除いて得た一価イオンのミネラルを主とする濃縮塩水とを得る。  よって本発明に係るミネラル濃縮液は、富山湾の水深３００ｍ以深の日本海固有水を、逆浸透膜１１を用いた逆浸透膜装置１に通水分離して得られた濃縮深層水Ｃ１を、更に一価イオン選択性イオン交換膜１３を用いた第二電気透析装置３に通水分離し、一価の陽イオンと一価の陰イオンの濃度を減じて得られたことを特徴とする。  また、富山湾の水深３００ｍ以深の日本海固有水を、イオン交換膜１２を用いた第一電気透析装置２に通水して得られた濃縮深層水Ｃ２を、更に一価イオン選択性イオン交換膜１３を用いた第二電気透析装置３に通水分離し、一価の陽イオンと一価の陰イオンの濃度を減じて得られたことを特徴とする。  同様に、本発明に係る濃縮塩水は、富山湾の水深３００ｍ以深の日本海固有水を、逆浸透膜１１を用いた逆浸透膜装置１に通水分離して得られた濃縮深層水Ｃ１を、更に一価イオン選択性イオン交換膜１３を用いた第二電気透析装置３に通水分離し、一価の陽イオンと一価の陰イオンの濃度を高めて得られたことを特徴とする。  また、富山湾の水深３００ｍ以深の日本海固有水を、イオン交換膜１２を用いた第一電気透析装置２に通水して得られた濃縮深層水Ｃ２を、更に一価イオン選択性イオン交換膜１３を用いた第二電気透析装置３に通水分離し、一価の陽イオンと一価の陰イオンの濃度を高めて得られたことを特徴とする。
【手続補正書】
【提出日】平成20年3月25日(2008.3.25)
【手続補正１】
【補正対象書類名】明細書
【補正対象項目名】特許請求の範囲
【補正方法】変更
【補正の内容】
【特許請求の範囲】    【請求項１】無機系繊維、無機系微粒子、金属繊維、金属微粒子、合成樹脂のうちの少なくとも一種が塗布、含侵または貼着された軟質ポリウレタンフォームからなり、０．０８〜０．５の見かけ比重を有することを特徴とする微生物固定化担体。    【請求項２】  微生物が、排水の浄化微生物であることを特徴とする請求項１記載の微生物固定化担体。
【手続補正書】
【提出日】平成20年4月15日(2008.4.15)
【手続補正１】
【補正対象書類名】明細書
【補正対象項目名】特許請求の範囲
【補正方法】変更
【補正の内容】
【特許請求の範囲】
【請求項１】  調湿性材料及び空気浄化機能を有する材料を含んでなることを特徴とする収納庫用調湿材。
【請求項２】  調湿性材料が下記吸水性樹脂分散体（Ｄ）中のポリオール（Ａ）とポリイソシアネート化合物（Ｐ）とを反応させてなるウレタン樹脂（Ｕ）である請求項１記載の収納庫用調湿材。
吸水性樹脂分散体（Ｄ）：ポリオール（Ａ）中に、（Ａ）中で重合形成された吸水性樹脂（Ｂ）若しくはその吸水ゲルが分散されてなる吸水性樹脂分散体。
【請求項３】  調湿性材料からなる調湿性樹脂の層の表面に、空気浄化機能を有する材料からなる樹脂層が形成されてなることを特徴とする請求項１又は２記載の収納庫用調湿材。
【請求項４】  調湿性材料からなる調湿性樹脂の層中に、空気浄化機能を有する材料が含有されてなることを特徴とする請求項１又は２記載の収納庫用調湿材。
【請求項５】  吸水性樹脂（Ｂ）が、ポリオール（Ａ）中で、水溶性ビニル単量体若しくはその前駆体と架橋剤が重合して形成されたものである請求項２〜４の何れか記載の収納庫用調湿材。
【請求項６】  吸水性樹脂（Ｂ）が、ポリオール（Ａ）中で、水の存在下、カルボキシル基及び／又はスルホン酸基を有する一種以上のビニル単量体、共重合性架橋剤及び必要により他のビニル単量体が重合して形成されたものである請求項２〜５の何れか記載の収納庫用調湿材。
【請求項７】  ポリオール（Ａ）が、ポリエーテルポリオール、ポリエステルポリオール、ポリブタジエンポリオール、アクリルポリオール、ポリエーテルエステルポリオール、ポリエステルアミドポリオール、ポリウレタンポリオール、エポキシポリオール、エポキシ変性ポリオール、ポリヒドロキシアルカン、油変性ポリオールおよびひまし油からなる群から選ばれる少なくとも１種である請求項２〜６の何れか記載の収納庫用調湿材。
【請求項８】  ウレタン樹脂（Ｕ）中に分散された吸水性樹脂（Ｂ）又はその吸水ゲルの平均粒子径が０．０１〜１００μｍである請求項２〜７のいずれか記載の収納庫用調湿材。
【請求項９】  ウレタン樹脂（Ｕ）が、吸水性樹脂分散体（Ｄ）中のポリオール（Ａ）と有機ポリイソシアネート化合物（Ｐ）を、発泡剤及び必要により触媒、整泡剤、その他の添加剤の存在下で反応させてなるウレタンフォームである請求項２〜８のいずれか記載の収納庫用調湿材。
【請求項１０】  空気浄化機能を有する材料が揮発性有機化合物を吸着及び／又は分解する機能を有する材料である請求項１〜９の何れか記載の収納庫用調湿材。
【請求項１１】  空気浄化機能を有する材料が無機質多孔体、有機アミン化合物、無機酸の塩、フラボノイド化合物、シクロデキストリン、キレート化合物、金属錯体化合物及び二酸化チタンからなる群から選ばれる１種又は２種以上である請求項１〜１０の何れか記載の収納庫用調湿材。
【請求項１２】  請求項１〜１１の何れか記載の収納庫用調湿材の層を収納庫用基材の片面又は両面に形成してなる収納庫用調湿材。
【請求項１３】  収納庫の内部において、天井、側面、底面の少なくとも一つの一部又は全部が請求項１〜１２の何れか記載の収納庫用調湿材で覆われてなる収納庫。
【請求項１４】  収納庫用調湿材と収納庫用基材からなり、前記調湿材と前記基材との間、基材の調湿材層で覆われていない調湿材層とは反対側の面に防湿、防水層を設けてなる請求項１３記載の収納庫。
【手続補正２】
【補正対象書類名】明細書
【補正対象項目名】０００４
【補正方法】変更
【補正の内容】
【０００４】
【課題を解決するための手段】
本発明者らは、上記問題点を鑑みて吸放湿性及び結露防止性に優れると共に空気浄化機能を有する収納庫用調湿材及び収納庫を得るべく鋭意検討を重ねた結果、本発明に到達した。
すなわち本発明は、調湿性材料及び空気浄化機能を有する材料を含んでなることを特徴とする収納庫用調湿材およびそれを用いた収納庫である。
【手続補正書】
【提出日】平成20年6月9日(2008.6.9)
【手続補正１】
【補正対象書類名】明細書
【補正対象項目名】特許請求の範囲
【補正方法】変更
【補正の内容】
【特許請求の範囲】
【請求項１】  遊技球が始動領域に進入したことを契機として当否判定を行う判定手段と、映像を変化させる変動表示の後に前記判定手段による判定結果を示す映像を静止表示する映像表示手段とを備えて、前記判定結果が当たりであったことを必須条件として遊技者に有利な遊技状態となる弾球遊技機において、
映像表示手段は、前記判定結果が当たりであったことを期待させるストーリーの映像である期待表示を行い、
画面の周囲の構造物であるステージ又は側壁面の模様と連続する映像のアクション域を表示する
ことを特徴とする弾球遊技機。
【請求項２】  請求項１記載の弾球遊技機において、
前記ストーリーの主人公キャラクタが通常表示域から前記アクション域に移動すると前記期待表示の開始となる
ことを特徴とする弾球遊技機。
【請求項３】  請求項１または２記載の弾球遊技機において、
前記判定手段による判定結果を示す映像に至るまでのストーリー展開を決定する展開決定手段であって、
該ストーリー展開の決定に際して前回の前記判定結果を示す映像を参照し、前記判定結果が当たりであったときには予め特定されている当たり映像のいずれかに至る前記ストーリー展開を決め、前記判定結果が外れであったときには予め特定されている複数種類の外れ映像のいずれか１種類に至る前記ストーリー展開を決める展開決定手段を備え、
前記映像表示手段は、前記展開決定手段が決めた前記展開に対応するストーリーの映像を前記変動表示において表示する
ことを特徴とする弾球遊技機。
【請求項４】  請求項３記載の弾球遊技機において、
前記期待表示に引き続いて前記当たり映像または外れ映像を表示することを特徴とする弾球遊技機。
【手続補正２】
【補正対象書類名】明細書
【補正対象項目名】０００６
【補正方法】変更
【補正の内容】
【０００６】
【課題を解決するための手段および発明の効果】
上記課題を解決するための請求項１記載の弾球遊技機は、遊技球が始動領域に進入したことを契機として当否判定を行う判定手段と、映像を変化させる変動表示の後に前記判定手段による判定結果を示す映像を静止表示する映像表示手段とを備えて、前記判定結果が当たりであったことを必須条件として遊技者に有利な遊技状態となる弾球遊技機において、
映像表示手段は、前記判定結果が当たりであったことを期待させるストーリーの映像である期待表示を行い、
画面の周囲の構造物であるステージ又は側壁面の模様と連続する映像のアクション域を表示する
ことを特徴とする。
【手続補正３】
【補正対象書類名】明細書
【補正対象項目名】０００９
【補正方法】変更
【補正の内容】
【０００９】
この表示動作において映像表示手段は、判定結果が当たりであったことを期待させるストーリーの映像である期待表示を行うので、リーチ表示にならなくても当たりの可能性が高いこと報知できる。また、ストーリー映像として表示されるので、その映像の結末に至るまで遊技者の注意を引きつけておける。つまりストーリーにより遊技者を楽しませることができる。
また、画面の周囲の構造物であるステージ又は側壁面の模様と連続する映像のアクション域を表示するので、奥行き感が出る。
請求項２記載の弾球遊技機は、請求項１記載の弾球遊技機において、前記ストーリーの主人公キャラクタが通常表示域から前記アクション域に移動すると前記期待表示の開始となることを特徴とする。ステージの模様と連続する映像のアクション域を表示すると、この移動によってステージ上に実際にキャラクタがいるかのような錯覚を与え、遊技者に大当たりの期待感を絶大にアピールすることが可能となる。
尚、期待表示は、判定結果が当たりであったときには高い出現率で、判定結果が外れであったときには判定結果が当たりであったときよりも低い出現率で、変動表示の過程で表示するのが好ましい。
【手続補正４】
【補正対象書類名】明細書
【補正対象項目名】００１０
【補正方法】変更
【補正の内容】
【００１０】
その場合の期待表示の出現率は、判定結果が当たりであったときには何％、外れのときには何％というように固定的であってもよいし、可変であってもよい。ただし、当たりのときは高率（例えば９０％程度以上）とするのが好ましく、外れのときには低率（例えば１０％程度以下）とするのが好ましい。期待表示をするかしないかは、例えば乱数カウンタを用いて決めればよい。
【手続補正５】
【補正対象書類名】明細書
【補正対象項目名】００１１
【補正方法】変更
【補正の内容】
【００１１】
また、前記期待表示の開始に際して、該期待表示の開始を報知する報知手段を備えると、期待表示が開始されること或いは開始したことを明瞭に報知できる。
その報知は、音声、文字、キャラクタの特別な動作などで行えばよい。これらを組み合わせてもよい。ただし、音楽やアニメーションで行う場合には、それが期待表示の報知であることが明瞭となるように、通常時には、同じ或いは類似の音楽やアニメーションを出力しない構成、すなわち期待表示の報知に限って出力する構成が好ましい。また、報知の種類を多くするとわけが分からなくなるおそれがあるので、なるべく少種類（例えば音声として１、２種類、アニメーションとして１、２種類）が好ましい。
【手続補正書】
【提出日】平成20年4月22日(2008.4.22)
【手続補正１】
【補正対象書類名】明細書
【補正対象項目名】発明の名称
【補正方法】変更
【補正の内容】
【発明の名称】内視鏡装置
【手続補正２】
【補正対象書類名】明細書
【補正対象項目名】特許請求の範囲
【補正方法】変更
【補正の内容】
【特許請求の範囲】
【請求項１】  
前端側と後端側を有する挿入部と、
前記挿入部に設けられた湾曲可能な湾曲部と、
前記挿入部の前端側に設けられた先端部と、
前記先端部に設けられた撮像素子と、
前記撮像素子が光電変換した撮像信号に対し信号処理を行うビデオプロセッサと、
前記撮像素子から出力された前記信号を無線で前記ビデオプロセッサへ送信可能な第１の通信機と、
前記挿入部内に挿通され、牽引弛緩により前記湾曲部を湾曲可能なアングルワイヤと、
前記アングルワイヤを牽引可能なアクチュエータと、
前記挿入部内に挿通された光を伝送可能なライトガイドと、
前記ライトガイドに光を照射可能な光源ユニット部と、
前記アクチュエータ、前記光源ユニット部および前記第１の通信機を有する、前記挿入部の基端側に設けられた基端部と、
前記挿入部と前記基端部とを含む内視鏡本体と、
前記内視鏡本体とは別体に設けられ、且つ前記アクチュエータを操作可能な湾曲指令信号を出力可能な操作部と、
を含むことを特徴とする内視鏡装置。
【請求項２】
前記アクチュエータ、前記光源ユニット部および前記撮像素子の駆動電源を前記基端部内に内蔵したことを特徴とする請求項１記載の内視鏡装置。
【請求項３】
前記操作部から入力された前記湾曲指令信号を処理可能な、前記内視鏡本体とは別体に設けられたスコープインターフェースユニットと、
前記スコープインターフェースユニットに設けられ、前記第１の通信機に前記湾曲指令信号を無線で送信可能な第２の通信機とをさらに含むことを特徴とする請求項１または２記載の内視鏡装置。
【請求項４】
前記内視鏡本体は、ユニバーサルケーブルを有していないことを特徴とする請求項１から３の何れか１項に記載の内視鏡装置。
【手続補正３】
【補正対象書類名】明細書
【補正対象項目名】０００１
【補正方法】変更
【補正の内容】
【０００１】
【発明の属する技術分野】
本発明はモータにより湾曲部を電気的に湾曲する内視鏡装置に関する。
【手続補正４】
【補正対象書類名】明細書
【補正対象項目名】００１２
【補正方法】変更
【補正の内容】
【００１２】
（発明の目的）
本発明は、上述した点に鑑みてなされたもので、挿入部の挿入作業を行い易い操作性の良い内視鏡装置を提供することを目的とする。
【手続補正５】
【補正対象書類名】明細書
【補正対象項目名】００１３
【補正方法】変更
【補正の内容】
【００１３】
【課題を解決するための手段】
本発明の内視鏡装置は、前端側と後端側を有する挿入部と、前記挿入部に設けられた湾曲可能な湾曲部と、前記挿入部の前端側に設けられた先端部と、前記先端部に設けられた撮像素子と、前記撮像素子が光電変換した撮像信号に対し信号処理を行うビデオプロセッサと、前記撮像素子から出力された前記信号を無線で前記ビデオプロセッサへ送信可能な第１の通信機と、前記挿入部内に挿通され、牽引弛緩により前記湾曲部を湾曲可能なアングルワイヤと、前記アングルワイヤを牽引可能なアクチュエータと、前記挿入部内に挿通された光を伝送可能なライトガイドと、前記ライトガイドに光を照射可能な光源ユニット部と、前記アクチュエータ、前記光源ユニット部および前記第１の通信機を有する、前記挿入部の基端側に設けられた基端部と、前記挿入部と前記基端部とを含む内視鏡本体と、前記内視鏡本体とは別体に設けられ、且つ前記アクチュエータを操作可能な湾曲指令信号を出力可能な操作部と、を含むことを特徴とする。
【手続補正書】
【提出日】平成20年5月8日(2008.5.8)
【手続補正１】
【補正対象書類名】明細書
【補正対象項目名】特許請求の範囲
【補正方法】変更
【補正の内容】
【特許請求の範囲】
【請求項１】
カウンター下面側に設けられたホース収納部と、前記カウンターに開設された貫通孔を通して前記ホース収納部内へ出し入れ可能に装備されたシャワーホースとを備えたシャワーホース収納構造において、前記貫通孔を通して前記シャワーホースが前記ホース収納部から一定長さ以上引き出されたとき前記シャワーホースを前記ホース収納部内へ引き込む方向へ付勢する付勢手段とを備えており、
引き出し長さが一定以下である場合は、前記付勢手段による付勢力を受けることなく前記シャワーホースを引き出すことができることを特徴とするシャワーホース収納構造。
【請求項２】
前記付勢手段として、前記ホース収納部内に位置する前記シャワーホースの一部に係止され、前記シャワーホースが一定長さ以上引き出されることによって弾性変形し、前記シャワーホースを前記ホース収納部内へ引き込む付勢力を発生する弾性部材を設けた請求項１記載のシャワーホース収納構造。
【請求項３】
前記付勢手段として、前記ホース収納部内に位置する前記シャワーホースの一部に係止され、前記シャワーホースが一定長さ以上引き出されることによって上昇し、前記シャワーホースを前記シャワー収納部内へ引き込む付勢力を発生する重錘を設けた請求項１記載のシャワーホース収納構造。
【請求項４】
前記付勢手段として、前記ホース収納部内に位置する前記シャワーホースの一部に係止され、前記シャワーホースが一定長さ以上引き出されることによって上昇し、前記シャワーホースを前記シャワー収納部内へ引き込む付勢力を発生する振子部材を設けた請求項１記載のシャワーホース収納構造。
【請求項５】
前記ホース収納部内に、前記付勢手段により前記シャワーホースを前記ホース収納部内へ引き込む方向を規制するガイド部材を設けた請求項１〜４のいずれかに記載のシャワーホース収納構造。
【請求項６】
前記ガイド部材は、前記カウンターの下面に取付けられており、かつ、前記シャワーホースの全長に対してシャワーヘッドから一定長さ分をとった位置に吊下げ具を取付けて、この吊下げ具が前記ガイド部材に沿って移動するように前記ガイド部材に取付けてなることを特徴とする請求項５記載のシャワーホース収納構造。
【手続補正２】
【補正対象書類名】明細書
【補正対象項目名】００１０
【補正方法】変更
【補正の内容】
【００１０】
本発明のシャワーホース収納構造は、カウンター下面側に設けられたホース収納部と、カウンターに開設された貫通孔を通してホース収納部内へ出し入れ可能に装備されたシャワーホースとを備えたシャワーホース収納構造において、貫通孔を通してシャワーホースがホース収納部から一定長さ以上引き出されたときシャワーホースをホース収納部内へ引き込む方向へ付勢する付勢手段を設けており、引き出し長さが一定以下である場合は、付勢手段による付勢力を受けることなくシャワーホースを引き出すことができるを特徴とする。
【手続補正書】
【提出日】平成20年6月23日(2008.6.23)
【手続補正１】
【補正対象書類名】明細書
【補正対象項目名】特許請求の範囲
【補正方法】変更
【補正の内容】
【特許請求の範囲】
【請求項１】
カードゲームを実行する際に基づく情報であるカードデータがそれぞれ付与されている複数のカードを用いて前記カードゲームを実行するカードゲームシステムであって、
前記カードゲームの実行を制御する制御ユニットと、
前記カードゲームの実行時に使用される複数枚のカードで構成されるデッキを受け入れる第１のカード受け入れ手段と、
前記デッキを構成しない状態のカードを受け入れる第２のカード受け入れ手段と、
さらに、前記カードデータと前記カードゲームを制御するプログラムを格納するメモリを有し、
前記制御ユニットにより、前記第２のカード受け入れ手段により受け入れたカードの枚数が、前記カードゲームを実行するためのメダル若しくは金額に置き換え可能である場合に、前記カードゲームを実行可能とし、
前記第１のカード受け入れ手段により受け入れたデッキを構成する複数のカードのそれぞれに付与されているカードデータを取得し、前記メモリに格納されているプログラムに従って前記取得したカードデータを用いてカードゲームを実行する、
ことを特徴とするカードゲームシステム。
【請求項２】
請求項１において、
前記複数のカードのそれぞれに付与されているカードデータは、カード側端部にバーコードで記録されていることを特徴とするカードゲームシステム。
【請求項３】
請求項１において、
さらに、前記制御ユニットは前記第１のカード受け入れ手段により受け入れたデッキに含まれるカードが、前記カードゲームの実行に必要な所定枚数に不足する場合、前記メモリに格納される複数のカードデータから補充することを特徴とするカードゲームシステム。
【請求項４】
請求項１において、
さらに、記録媒体を受け入れる記録媒体の読み込み／書込手段を有し、
前記制御ユニットによるカードゲームの実行制御が終了した際に、前記記録媒体に、前記遊戯者のデッキを構築する複数のカードに関し、カードゲームの結果情報を書き込むことを特徴とするカードゲームシステム。
【請求項５】
請求項４において、
前記記録媒体の読み込み／書込手段により記録媒体に書き込まれたカードゲームの結果情報に基き、前記制御ユニットは、前記カードゲームの実行を制御する際に、前記第1のカード受け入れ手段により受け入れたデッキに含まれるカードに付与されるカードデータを更新することを特徴とするカードゲームシステム。
【請求項６】
請求項１において、
さらに、カードゲームの結果に応じて、新規カード若しくはコイン又はメダルを排出する機構を有することを特徴とするカードゲームシステム。
【請求項７】
請求項１において、
前記メモリに格納されるカードデータを、ネットワークを通して供給される更新データに基づき更新することを特徴とするカードゲームシステム。
【請求項８】
請求項４おいて、
前記記録媒体にカードデータの更新データを格納し、前記記録媒体読み込み／書込手段により前記更新データを格納された記録媒体が受け入れられた際、前記制御ユニットより、前記カードデータを更新することを特徴とするカードゲームシステム。
【請求項９】
請求項１において、
前記制御ユニットは、遊戯者によりカードゲームが終了された後は、前記第１のカード受け入れ手段に受け入れたカードを、カードゲーム装置に保持することを特徴とするカードゲームシステム。
【請求項１０】
カードゲームを実行する際に基づき情報であるカードデータがそれぞれ付与されている複数のカードを用いるカードゲームシステムにおいて前記カードゲームの実行を制御する方法であって、
第1のカード受け入れ手段により、前記カードゲームの実行時に使用されるカードで構成されるデッキを受け入れる工程と、
第２のカード受け入れ手段により、前記デッキを構成しない状態のカードを受け入れる工程と、
制御ユニットにより、前記第２のカード受け入れ手段により受け入れたカードの枚数が、前記カードゲームを実行するためのメダル若しくは金額に置き換え可能である場合に、前記カードゲームを実行可能とする工程と、
前記第１のカード受け入れ手段により受け入れたデッキを構成する複数のカードのそれぞれに付与されているカードデータを取得し、ゲームプログラムに従って前記取得したカードデータを用いてカードゲームを実行する工程を、
有することを特徴とするカードゲームの実行を制御する方法。
【請求項１１】
請求項１０において、
さらに前記制御ユニットにより、メモリに格納されている複数のカードのカードデータを用いて仮想の対抗者のデッキを構築し、前記遊戯者のデッキと対戦を行わす工程を
有することを特徴とするカードゲームの実行を制御する方法。
【請求項１２】
請求項１１において、
さらに、前記制御ユニットは前記第１のカード受け入れ手段により受け入れたデッキに含まれるカードが、前記カードゲームの実行に必要な所定枚数に不足する場合、前記メモリに格納される複数のカードデータから補充する工程を有することを特徴とするカードゲームの実行を制御する方法。
【誤訳訂正書】
【提出日】平成20年11月11日(2008.11.11)
【誤訳訂正１】
【訂正対象書類名】明細書
【訂正対象項目名】００１６
【訂正方法】変更
【訂正の内容】
【００１６】
本発明の上記およびその他の目的は以下の明細書中の説明において記載されている。本明細書において説明されているように、ステントの好ましい実施形態は柔軟性の部分および折り畳み状態の支柱部分を含む装置を提供している。この折り畳み状態の支柱部分は拡張時に（花のように）開口する。この折り畳み状態の支柱部分は構造的な剛性およびステント機構における短縮の減少の両方を提供する。また、上記柔軟性の部分はステント機構の供給のための柔軟性を提供する。
【誤訳訂正２】
【訂正対象書類名】明細書
【訂正対象項目名】００２５
【訂正方法】変更
【訂正の内容】
【００２５】
【発明の実施の形態】
図１において分かるように、一連の柔軟性の部分３０が接続している一連の折り畳み状態の支柱部分２０を有している円筒形のステント１０が示されている。折り畳み状態の各支柱部分２０は一対の端部２４，２６を有している概ね折り畳み状態の支柱部材２５を備えている。これらの端部２４，２６の各対は別の折り畳み状態の支柱部材２５および柔軟性の部材３５の端部にも接続している。このように、１個の柔軟性の部材３５における各端部３４，３６は１個の折り畳み状態の支柱部材２５における２個の端部２４，２６にそれぞれ接続している。
【誤訳訂正３】
【訂正対象書類名】明細書
【訂正対象項目名】００２６
【訂正方法】変更
【訂正の内容】
【００２６】
折り畳み状態の各支柱部材２５は概して不規則なパタンを有している。一方、柔軟性の各部材３５は概ね波打ち状のパタンを有している。上記の折り畳み状態の各支柱部分２０はステント１０の円筒形状の外周を包んでいる。また、各柔軟性の部分３０もステント１０の外周に沿って折り畳み状態の支柱部分２０に接続している。この場合に、隣接している各柔軟性の部分３０は互いに１８０°ずつ位相がずれて配置されていることが分かる。
【誤訳訂正４】
【訂正対象書類名】明細書
【訂正対象項目名】００２７
【訂正方法】変更
【訂正の内容】
【００２７】
折り畳み状態の各支柱部分２０の長手方向の長さはステント１０の屈曲時に滑らかな外形形状を形成する程度に十分に短い。また、この折り畳み状態の支柱部分２０は拡張時において一定の大きな直径方向の拡張が可能である。それゆえ、拡張時において、折り畳み状態の各支柱部分２０は外周方向に拡張して、フープ状になり、最大の半径方向の強度が達成される。一方、これらの折り畳み状態の支柱部分の間に配置されている各柔軟性の部分３０はステント１０の未拡張状態の寸法におけるステント供給性を改善する。これらの柔軟性の部分３０は長手方向に柔軟であり、拡張時における短縮化が最少にできる。
【誤訳訂正５】
【訂正対象書類名】明細書
【訂正対象項目名】００２９
【訂正方法】変更
【訂正の内容】
【００２９】
本発明の変形が図２（「傾斜状態の例（angled version）」）および図３（「直線状態の例（straight version）」）におけるステント５０において見ることができる。これらの例において、半径方向の各強度部分１２０が概ね直線状の各部材１１５により達成されているが、これらの部材は折り畳み状態の支柱部分を有していない。また、概ね直線状の各部材１１５の間の接続構造は、図１における第１の実施形態の各接続部材に関連して形成されている接続構造と極めて類似して、これら概ね直線状の各部材１１５をさらに柔軟性の部材１２５にそれぞれ接続することにより形成されている。
【誤訳訂正６】
【訂正対象書類名】明細書
【訂正対象項目名】００３１
【訂正方法】変更
【訂正の内容】
【００３１】
上記の傾斜した各部材１３０は柔軟性を高めること、およびバルーン表面上に付加的な抵抗力を加えることの両方の目的のために傾斜している。このような構成は「ドッグボーニング（dogboning）」として知られている状態、すなわち、ステント５０におけるいずれかの端部において含まれている支柱部材７５のいずれかの先端エッジ部分の曝露の防止を助長する。加えて、この構成はステントのバルーン表面に沿う滑りも防止する。上記の傾斜した各部材１３０は互いに反対の（すなわち、１８０°の位相変化を有する）位相に傾斜して、ステントの長さに沿う各支柱部分７５，８５におけるあらゆる捩れの作用を打ち消している。これら特定の各部材は、バルーン・カテーテルの表面上におけるステントの保持性を確実に高めるために、さらに剛性の高い各部材よりも低い外形形状にけん縮することができる。さらに、本明細書において説明されているこの構成は特異的に折り畳まれた状態の形態を有していて、内腔における移動中に各支柱部分７５，８５のエッジ部分の「フレア状の広がり（flaring）」の危険性を減少することができる。